(57)【要約】      （修正有）【課題】材料コストを増大させることなく、薬液容器を挿入しやすい開口部を有し、しかも、容易に吊り掛けが可能な、曝露防止カバーを提供する。【解決手段】第１面と第２面との間に薬液容器が収容され、第２側部２５１から外部へ突出する突出部８を有し、第１側部２６１から第２側部を介して突出部まで延びる開口部が形成されたカバー本体２と、第１面において開口部に沿って形成される第１ストリップ、第２面において開口部に沿って形成され、第１ストリップに対して着脱可能な第２ストリップ、及び、第１及び第２ストリップを着脱するスライダ４０、を有する開閉機構４と、カバー本体に取り付けられ、薬液容器の排出口と接続可能で、カバー本体の外部に取り付けられる薬液用チューブへ薬液を排出可能な接続部３と、カバー本体に取付けられ、接続部とは反対側において開口部を越えた位置に、吊り掛け具に吊り掛け可能な吊孔６３が形成されている吊り下げ部５と、を備える。【選択図】図２
0003190976.tif 000002
【実用新案登録請求の範囲】
【請求項１】
吊り掛け具に吊り掛けられ、薬液の排出口が形成された薬液容器が収容されるとともに、薬液用チューブが取り付けられる、曝露防止カバーであって、
少なくとも第１面及び第２面を有し、当該第１面と第２面との間に前記薬液容器が収容されるカバー本体であって、前記カバー本体が第１側部及び第２側部を有するとともに、当該第２側部から外部へ突出する突出部を有し、前記第１側部から第２側部を介して前記突出部までの間で延びる開口部が形成されたカバー本体と、
前記カバー本体の第１面において前記開口部に沿って形成される第１ストリップ、前記第２面において前記開口部に沿って形成され、前記第１ストリップに対して着脱可能な第２ストリップ、及び、前記第１及び第２ストリップに沿って移動することで当該第１及び第２ストリップを着脱するスライダ、を有する開閉機構と、
前記カバー本体に取り付けられ、前記薬液容器の排出口と接続可能で、当該カバー本体の外部に取り付けられる薬液用チューブへ前記薬液容器内の薬液を排出可能な接続部と、
前記カバー本体に取付けられ、前記接続部とは反対側において前記開口部を越えた位置に、前記吊り掛け具に吊り掛け可能な吊孔が形成されている吊り掛け部と、
を備えている、曝露防止カバー。
【請求項２】
前記カバー本体の第２側部からの前記突出部の突出長さが、前記開口部の延びる方向において前記スライダの長さの１．５〜３倍である、請求項１に記載の曝露防止カバー。
【請求項３】
前記突出部には、前記第１及び第２ストリップから前記第２側部に沿って前記接続部側に延びる延在部が設けられている、請求項１または２に記載の曝露防止カバー。
【請求項４】
前記カバー本体は、樹脂フィルムで形成され、前記第１側部及び第２側部の少なくとも一方は前記樹脂フィルムをヒートシールすることで形成されており、当該ヒートシールが形成されている箇所の一部に、前記薬液用チューブを固定する固定部が形成されている、請求項１から３のいずれかに記載の曝露防止カバー。
【請求項５】
前記吊り掛け部は、樹脂フィルムで形成され、
当該吊り掛け部の周縁部にヒートシールが施された第１シール部が形成されるとともに、当該吊り掛け部の中央部にヒートシールが施された第２シール部が形成され、
前記第２シール部に前記吊孔が形成されている、請求項１から４のいずれかに記載の曝露防止カバー。
【考案の詳細な説明】
【技術分野】
【０００１】
本考案は、曝露防止カバーに関する。
【背景技術】
【０００２】
患者へ投与される薬液の中には、強い作用を生じさせるものがある。例えば抗がん剤は、抗がん作用がある反面、正常な細胞にも損傷を与えるおそれのある毒性の成分が含まれる。そのため薬液の調製作業中には、液滴が人体に付着しないよう、細心の注意が払われる。また、患者へ抗がん剤を投与する際にも、医療従事者や患者への液滴の飛散に対して細心の注意を要する。しかしながら、微細な液滴の飛散を避けることは困難であり、医療従事者が長年にわたって微量の液滴の曝露を受け続けることに起因する健康被害も懸念されている。
【０００３】
このような液滴の飛散及び滴下による曝露を防止するため、例えば、特許文献１には、薬液容器を収容する曝露防止カバーが開示されている。このカバーは袋状に形成され、上端に開口部が形成されるとともに、下端に薬液容器の蓋部に刺入される針部材が設けられている。また、上端の開口部には、スライダ付きのチャックが取付けられ、スライダを開口部に沿って移動させることで、開口部が開閉するようになっている。このカバーを使用する際には、カバーの上端開口部を開き、ここから薬液容器を挿入した後、薬液容器の蓋部材に針部材を刺し込む。そして、カバーの外部において、針部材に医療用のチューブを取付け、薬液容器とチューブとを針部材によって連通させる。これにより、薬液容器の薬液は、針部材及びチューブを介して患者に投与できるようになっている。また、薬液を患者に投与する間、カバーは、点滴スタンドなどの吊り掛け具に吊り掛けるため、カバー本体の一方の面には、吊孔が形成された吊り掛け部材が取付けられている。
【先行技術文献】
【特許文献】
【０００４】
【特許文献１】国際公開第２０１３／０９９９４６号公報
【考案の概要】
【考案が解決しようとする課題】
【０００５】
ところで、上記特許文献１の曝露防止カバーは、薬液容器を挿入しやすいように、上端開口部の横方向の長さを大きくしている。しかしながら、このように上端開口部の長さを大きくすると、これに合わせてカバーの上部全体の長さを大きくしなければならないため、材料コストが大きくなるという問題がある。特に、上記のようなスライダ付きのチャックを採用した場合、スライダは開口部の一部を塞ぐため、スライダの分だけ開口部が狭くなるという問題がある。また、吊り掛け部材は、カバーの一方の面に取り付けられているため、点滴スタンドにカバーを吊り掛けるときには、カバーの一方の面を点滴スタンドのフックに向けた後、吊孔をフックに引っ掛けなければならない。したがって、吊り掛け時に、カバーの向きを合わせなければならず、取り扱いが面倒であるという問題がある。
【０００６】
本考案は、上記問題を解決するためになされたものであり、材料コストを増大させることなく、薬液容器を挿入しやすい開口部を有し、しかも、容易に吊り掛けを行うことができる、曝露防止カバーを提供することを目的とする。
【課題を解決するための手段】
【０００７】
本考案は、吊り掛け具に吊り掛けられ、薬液の排出口が形成された薬液容器が収容されるとともに、薬液用チューブが取り付けられる、曝露防止カバーであって、少なくとも第１面及び第２面を有し、当該第１面と第２面との間に前記薬液容器が収容されるカバー本体であって、前記カバー本体が第１側部及び第２側部を有するとともに、当該第２側部から外部へ突出する突出部を有し、前記第１側部から第２側部を介して前記突出部までの間で延びる開口部が形成されたカバー本体と、前記カバー本体の第１面において前記開口部に沿って形成される第１ストリップ、前記第２面において前記開口部に沿って形成され、前記第１ストリップに対して着脱可能な第２ストリップ、及び、前記第１及び第２ストリップに沿って移動することで当該第１及び第２ストリップを着脱するスライダ、を有する開閉機構と、前記カバー本体に取り付けられ、前記薬液容器の排出口と接続可能で、当該カバー本体の外部に取り付けられる薬液用チューブへ前記薬液容器内の薬液を排出可能な接続部と、前記カバー本体に取付けられ、前記接続部とは反対側において前記開口部を越えた位置に、前記吊り掛け具に吊り掛け可能な吊孔が形成されている吊り掛け部と、を備えている。
【０００８】
この構成によれば、第１側部及び第２側部を有するカバー本体に、第２側部から外部へ突出する突出部を設け、第１側部から第２側部を介して突出部までの間で延びる開口部を形成している。そして、この開口部には、着脱可能な第１及び第２ストリップと、これを着脱させつつ開口部に沿って移動するスライダとを備えた開閉機構を設けている。したがって、スライダは、第１側部から第２側部を介して突出部までの間で移動できるため、スライダを突出部まで移動させれば、カバー本体の第１側部から第２側部までを開口部として開くことができる。したがって、スライダが邪魔になることなく、カバー本体の第１側部から第２側部を開口部として利用することができる。そのため、開口部に合わせてカバー本体を大きく形成する必要がなく、材料コストを低減することができる。
【０００９】
また、接続部とは反対側において開口部を超える位置に吊孔が形成された吊り掛け部が設けられているため、例えば、吊り掛け部を上側に向け、接続部を下側に向けた状態にすると、スライダよりも上方に吊孔が位置するため、カバー本体の第１面側及び第２面側のいずれからでも、吊孔を吊り掛け具に引っ掛けることができる。
【００１０】
上記曝露防止カバーにおいては、前記カバー本体の第２側部からの前記突出部の突出長さを、前記開口部の延びる方向において前記スライダの長さの１．５〜３倍とすることができる。
【００１１】
上記各曝露防止カバーにおいて、前記突出部には、前記第１及び第２ストリップから前記第２側部に沿って前記接続部側に延びる延在部を設けることができる。
【００１２】
上記各曝露防止カバーにおいて、前記カバー本体を、樹脂フィルムで形成し、前記第１側部及び第２側部の少なくとも一方を前記樹脂フィルムをヒートシールすることで形成することができ、当該ヒートシールが形成されている箇所の一部に、前記薬液用チューブを固定する固定部を形成することができる。
【００１３】
上記各曝露防止カバーにおいて、前記吊り掛け部を、樹脂フィルムで形成し、当該吊り掛け部の周縁部にヒートシールが施された第１シール部を形成するとともに、当該吊り掛け部の中央部にヒートシールが施された第２シール部を形成することができ、前記第２シール部に吊孔を形成することができる。
【考案の効果】
【００１４】
本考案によれば、材料コストを増大させることなく、薬液容器を挿入しやすい開口部を有し、しかも、容易に吊り下げを行うことができる。
【図面の簡単な説明】
【００１５】
【図１】本考案の一実施形態に係る薬液容器の斜視図である。
【図２】図１の薬液容器を収容する曝露防止カバーの正面図である。
【図３】図２の曝露防止カバーの背面図である。
【図４】カバー本体の上端付近の断面図である。
【図５】スライダの斜視図である。
【図６】スライダを下方から見た図である。
【図７】カバー本体の上端付近の断面図である。
【図８】曝露防止カバーに薬液容器を収容した状態を示す正面図である。
【図９】本考案に係る曝露防止カバーの他の例を示す正面図である。
【考案を実施するための形態】
【００１６】
以下、本考案に係る薬液容器の曝露防止カバーの一実施形態について、図面を参照しつつ説明する。図１は本実施形態に係る薬液容器の斜視図、図２は図１の薬液容器を収容する曝露防止カバーの正面図、図３は図２の曝露防止カバーの背面図である。以下では、説明の便宜上、図２の上下方向を「上下方向」、図１の左右方向を「横方向」、「幅方向」などと称するが、本考案に係る曝露防止カバーの方向はこれに限定されない。
【００１７】
＜１．薬液容器＞
本実施形態に係る曝露防止カバーが対象とする薬液容器は、種々の態様にすることができるが、例えば、次のように構成することができる。すなわち、図１に示すように、本実施形態に係る薬液容器１は、袋状に形成された平面視矩形状の容器本体１１と、この容器本体１１の下端部に取り付けられた排出部材１２と、を備えている、容器本体１１は、例えば、２枚のプラスチック製のシート材などを用い、周縁をヒートシールすることで形成することができ、その内部空間１１１に薬液が収容されている。排出部材１２は、筒状に形成され容器本体１１の内部空間１１１と外部とを連通するようになっている。そして、排出部材１２の下端部の開口（排出口）は、ゴム栓１２１で閉鎖されており、このゴム栓１２１に、後述するような針部材３２などを差し込むことで、容器本体１１内の薬液を外部に排出したり、あるいは溶解液を注入することができる。
【００１８】
本実施形態で対象とする薬液は、特には限定されないが、曝露すると取扱者（主として、医療従事者。以下、ユーザーと言う。）に重篤な副作用を及ぼしたり、細胞毒性に由来する健康被害を及ぼしたり等する可能性のある薬液である。このような薬液の例としては、抗悪性腫瘍剤、抗ウィルス剤、免疫抑制剤、放射性医薬品等を挙げることができる。
【００１９】
このような薬液は、液状の薬剤に限らず、粉末状、固体状の薬剤を、生理食塩水、リンゲル液、蒸留水等で溶解したり、希釈したものとすることができる。したがって、薬液容器１中に粉末状、固体状の薬剤を準備しておき、これに生理食塩水などを注入することで、薬液を生成することができる。
【００２０】
＜２．曝露防止カバー＞
次に、上記のような薬液容器１を収容する曝露防止カバーについて説明する。図２及び図３に示すように、このカバー２０は、シート材を袋状に形成したカバー本体２、このカバー本体２の下端部に設けられた接続部３、及びカバー本体２の上端部に設けられた開閉機構４を備えている。また、カバー本体２の上端部には、開閉機構４よりも上方に突出する吊り掛け用フラップ（吊り掛け部）５が取付けられている。
【００２１】
＜２−１．カバー本体＞
カバー本体２は、横幅の大きい正面視矩形状の本体部２１と、この本体部２１の横幅の小さい下端部へとつながる傾斜部２２とを備え、これらが一体的に形成されている。そして、カバー本体２の上端部の右側の端部には、幅方向に長さＬだけ突出する突出部８が形成されている。突出部８は平面視矩形状に形成され、その上端部がカバー本体２の上端開口部の一部を構成し、下方に向かって所定の長さｔだけ延びている。この長さｔは、概ね突出部８を指で掴めるような大きさであり、この部分が本考案の延在部に相当する。
【００２２】
このようなカバー本体２は、種々の態様で構成することができるが、例えば、２枚の樹脂製フィルム、つまり第１フィルム２０１と第２フィルム２０２とを重ね合わせ、本体部２１及び傾斜部２２の右側部２５１及び左側部２６１をヒートシールすることで形成することができる。このとき、右側部２５１のヒートシールは、本体部２１の側部から突出部８の下端を通過し、突出部８の側部に亘って形成されている。すなわち、突出部の上端部にはヒートシールが施されていないため、カバー本体２の上端部は、左側の端部から突出部８の右端部までが開口している。一方、カバー本体２の下端部、つまり傾斜部２２の下方につながる下端部は左側の端部から右側の端部まで開口している。
【００２３】
また、カバー本体２の右側部２５１には、チューブを固定するための固定部が形成されている。より詳細に説明すると、カバー本体２の右側部２５１において、本体部２１と斜部２２とが連結される箇所には、カバー本体２の右側部２５１のヒートシールから連続して、矩形状のヒートシール領域７０が形成されている。そして、この領域７０に貫通孔７が形成され、この貫通孔７がチューブの固定部を構成する。さらに、この貫通孔７の周縁には放射状に延びる複数の切り込み７１が形成されており、貫通孔７が拡径可能となっている。これにより、拡径部分の弾性変形によってチューブをしっかりと固定することができる。なお、固定部を切り込みのない単なる貫通孔にすることもできる。
【００２４】
カバー本体２の傾斜部２２は、薬液容器１の容器本体１１の下端部の両側が乗るように形成されている。すなわち、薬液容器１をカバー本体２に挿入したとき、薬液容器１の容器本体１１を傾斜部２２で支え、動かないようにすることができる。
【００２５】
カバー本体２を構成する材料は、防水性であることは勿論であるが、特には限定されず、例えば、透光性、ガスバリア性の少なくともいずれか一つの機能を有するものであることが好ましい。透光性を有する素材としては、ポリプロピレン（ＰＰ）、ポリエチレン（ＰＥ）等が利用できる。透光性を有することにより、後述するように、カバー本体２に収容された薬液容器１の排出部材１２と接続部３の針部材３２との接続作業をカバー本体２の外からでも容易に行うことができる。なお、薬液への品質影響を避けるため、特定の波長の光が透過しないよう、波長選択性や部分的な遮光性を備えた素材でカバー本体２を構成することもできる。またガスバリア性を有する素材としては、ポリエチレンテレフタレート（ＰＥＴ）やポリアミドに無機物を蒸着させたもの、アルミ箔等を利用できる。特に、蒸着する無機物を酸化アルミニウムや酸化ケイ素にすることで透光性も兼ね備えることができる。ガスバリア性を備えることによって、気化した薬液や薬液自体がカバー本体２の外部へ漏洩することを防止できる。また、カバー本体２の内側には滑りをよくして薬液容器が挿入しやすいよう、酸化ケイ素やゼオライトを混入した構成にしてもよい。なお、本カバー本体２の素材としては蒸気滅菌やエチレンオキサイドガス滅菌やγ線滅菌や電子線滅菌が可能であることが好ましい。
【００２６】
＜２−２．接続部＞
カバー本体２の下端部の開口部には、接続部３が取付けられている。接続部３はカバー本体２の下端部の開口部を塞ぐ接続部本体３１と、この接続部本体３１を貫通し、カバー本体２の内外を連通する針部材３２と、を備えている。接続部本体３１はカバー本体２の下端部を機密に閉じることができれば、その材料、態様は特には限定されない。針部材３２は、筒状に形成され、カバー本体２の内部を向く側の上端部３２１が鋭利に形成されることで、後述するように、薬液容器１の排出部材１２のゴム栓１２１に刺入できるようになっている。一方、針部材３２において、カバー本体２の外部に突出する下端部３２２には、医療用のチューブが取り付け可能となっている。なお、接続部本体３１を設ける代わりに、カバー本体２の下端部の開口に針部材３２を挟んだ上で、ヒートシールを施し、これによって下端部の開口を閉じることもできる。
【００２７】
＜２−３．開閉機構＞
次に、開閉機構４について、図４〜図６を参照しつつ説明する。図４はカバー本体の上端付近の断面図、図５はスライダの斜視図、図６はスライダを下方から見た図である。開閉機構４は、カバー本体２を構成する第１フィルム２０１の上端部の内面に沿って幅方向（カバー本体２の左端部から突出部８の右端部まで）に延びる第１ストリップ２１１、及び第２フィルム２０２の上端部の内面に沿って幅方向に延びる第２ストリップ２１２を備えている。第１ストリップは、断面凸状に形成されており、第２ストリップ２１２は第１ストリップ２１１の凸形状に係合する凹形状に形成されている。そして、これら第１及び第２ストリップ２１１，２１２が係合することで、カバー本体２の上端開口部は密閉される。また、第１フィルム２０１の上端部の外面、及び第２フィルム２０２の上端部の外面には、それぞれ、幅方向に延びる第１及び第２ガイドレール２２１、２２２が形成されている。これら、ストリップ２１１，２１２及びガイドレール２２１、２２２は、第１フィルム２０１または第２フィルム２０２と一体的に樹脂などによって形成することもできるし、弾性変形可能な別部材で形成することもできる。
【００２８】
さらに、この開閉機構４は、このカバー本体２の上端部を挟む断面Ｕ字状のスライダ４０を備えている。より詳細に説明すると、このスライダ４０は、第１フィルム２０１及び第２フィルム２０２の上端部を跨ぐような矩形状に形成された天面部４１と、この天面部４１の両端からそれぞれ下方に延びる一対の側面部４２、４３とを備えており、樹脂材料などで形成することができる。また、各側面部４２，４３は各フィルム２０１，２０２と平行に延び、さらに各側面部４２，４３の下端部には、ガイドレール２２１，２２２の下面にそれぞれ係合する係合部４２１、４３１が形成されている。これによって、スライダ４０は、ガイドレール２２１，２２２から離脱することなく、ガイドレール２２１，２２２に沿ってカバー本体２の上端部全体に亘って移動可能となっている。また、上述した突出部８の幅方向の長さＬは、スライダ４０の幅方向の長さＸの１．５〜３倍程度にすることが好ましい。
【００２９】
また、図６に示すように、このスライダ４０の天面部４１の下面には、下方へ突出する平面視三角形状の突部４４が形成されており、この突部４４における頂部４４１がカバー本体２の右側、つまり突出部８側を向くように配置されている。また、この突部４４と両側面部４２，４３との間には、突部４４の側面に沿って延びる一対の隙間４６１、４６２が形成されており、この隙間４６１，４６２は突部４４の右側で合流するとともに、この合流部分では両側面部４２，４３の間隔が狭くなっている。そして、スライダ４０の突部４４は、第１ストリップ及び第２ストリップ２１１，２１２の間に配置され、第１ストリップ２１１を含む第１フィルム２０１、及び第２ストリップ２１２を含む第２フィルム２０２は、それぞれ、突部４４と両側面部４２，４３との隙間４６１、４６２に配置されている。したがって、突部４４の右側では隙間４６１、４６２が合流しているため、第１ストリップ２１１と第２ストリップ２１２とは係合している。一方、突部４４の左側では第１ストリップ２１１と第２ストリップ２１２とが分離している。このような構成により、スライダ４０を右側に移動すると、突部４４が両ストリップ２１１，２１２の間に入り込み、これらストリップ２１１，２１２の係合状態を解除する。これにより、スライダ４０が右側に移動するにしたがって、カバー本体２の上端開口部が開いていく。一方、スライダ４０を左側に移動させると、両ストリップ２１１，２１２は、スライダ４０の隙間４６１、４６２の合流部分の幅の狭い箇所において、両側面部４２，４３に押圧されるため、両ストリップ２１１，２１２が係合する。そのため、スライダ４０が左側に移動するにしたがって、カバー本体２の上端開口部は閉じていく。
【００３０】
＜２−４．吊り掛け用フラップ＞
次に、吊り掛け用フラップ５について、図７を参照しつつ説明する。図７はカバー本体の上端付近の断面図である。このフラップ５は、カバー本体２を吊り掛け具（点滴スタンドなど）に吊り掛けるものであり、カバー本体２の上端部に取付けられる。具体的には、このフラップ５は、幅方向に延びる矩形状に形成されており、カバー本体２の左側部２６１から、突出部８を除く右側部２５１まで延びるような形状となっている。また、フラップ５の下端部は、カバー本体２の第２フィルム２０２において、ガイドレール２２２の下方にヒートシールなどで固定されている。そして、このフラップ５は、このガイドレール２２２よりも上方に向かって、カバー本体２の上端部を超えて延びている。フラップ５の固定方法は特には限定されないが、例えば、ヒートシール、超音波溶着、高周波溶着、接着剤によりカバー本体２に固定することができる。
【００３１】
このようなフラップ５は、種々の態様にすることができるが、例えば、２枚の樹脂製フィルムを重ね合わせ、その周縁をヒートシールした周縁シール部６１を形成するとともに、フラップ５の上辺の中央と下辺の中央を連結するようにヒートシールが施された中央シール部６２を形成する。そして、この中央シール部６２の上下方向の中央に、吊孔６３を形成する。この吊孔６３は、フラップ５をカバー本体２に取付けたときに、カバー本体２の上端開口部よりも上方に位置している。すなわち、スライダ４０よりも上方に位置している。
【００３２】
＜３．曝露防止カバーの使用方法＞
次に、上記のように構成された曝露防止カバーの使用方法について、図８を参照しつつ説明する。まず、カバー本体２の下端部から突出する針部材３２に医療用チューブを取り付ける。このとき、カバー本体２側から薬液が流れ出さないように、チューブにピンチコックなどの閉鎖手段を取り付けておく。次に、スライダ４０をカバー本体２の右側から左側へスライドさせ、カバー本体２の上端開口部を開く。このとき、例えば、突出部８の下端部を右手で把持した状態で、左手でスライダ４０を把持すると、スライダ４０を移動させ易くなる。次に、薬液容器１を、排出部材１２１が下側を向いた状態で、カバー本体２の上端開口部から下方の傾斜部２２まで挿入する。続いて、スライダ４０を右側へ移動させ、図８に示すように、カバー本体２の上端開口部を閉じる。そして、薬液容器１をカバー本体２の外側から把持し、針部材３２を薬液容器１の排出部材１２のゴム栓１２１に刺入させる。これにより、針部材３２を介して薬液容器１の内部とチューブとが連通する。このとき、薬液容器１における容器本体１１下端部の両側は、カバー本体２内で傾斜部２２に支えられた状態となる。
【００３３】
これに続いて、フラップ５の吊孔６３を吊り掛け具のフックに引っ掛けた後、チューブから患者へ薬液を投与する。その後、薬液の投与が完了すると、チューブを患者から取り外し、薬液容器１をカバー本体２内に収容したまま、チューブと曝露防止カバーを廃棄する。
【００３４】
＜４．特徴＞
以上のように、本実施形態によれば、カバー本体２の上端部に、右側部２５１から外部へ突出する突出部８を設け、左側部２６１から右側部２５１を介して突出部８までの間で延びる開口部を形成している。そして、この開口部には、着脱可能な第１及び第２ストリップ２１１，２１２と、これを着脱させつつ開口部に沿って移動するスライダ４０とを備えた開閉機構４を設けている。したがって、スライダ４０は、左側部２６１から右側部２５１を介して突出部８までの間で移動できるため、スライダ４０を突出部８まで移動させれば、カバー本体２の右側部２５１から左側部２６１までを開口部として開くことができる。したがって、スライダ４０が邪魔になることなく、突出部８以外のカバー本体２の全幅を開口部として利用することができる。そのため、開口部に合わせてカバー本体２を大きく形成する必要がなく、材料コストを低減することができる。
【００３５】
特に、突出部８の左右方向の長さＬを、スライダ４０の左右方向の長さＸの１．５〜３倍程度とすると、スライダ４０を突出部８内に確実に収容することができ、突出部８を除くカバー本体２の両側部の間を全体に亘って開口させることができる。
【００３６】
また、フラップ５には、吊孔６３の両側にヒートシールがなされていない領域５０を形成しているため、フラップ全体をヒートシールしている場合に比べ、塑性変形が生じにくいため、結果として、フラップの変形が防止され、強度も向上させることができる。
【００３７】
＜５．変形例＞
以上、本考案の一実施形態について説明したが、本考案は上記実施形態に限定されるものではなく、その趣旨を逸脱しない限りにおいて、種々の変更が可能である。例えば、以下の変更が可能である。
【００３８】
＜５−１＞
上記実施形態では、カバー本体２とフラップ５とを別個に形成し、これを連結することでカバーを構成しているが、カバー本体とフラップを一体的に形成することもできる。すなわち、図９（ａ）に示すように、フラップとカバー本体２とが一体となったものを形成した後、図９（ｂ）に示すように、吊孔６３の下方に幅方向に延びる切り込み２００を形成し、図９（ｃ）に示すように、この切り込み２００にストリップ（図示省略）、ガイドレール２２１、突出部８、及びスライダ４０を設けることで、カバー本体の一方の面に開口部を有するカバーを形成することができる。
【００３９】
＜５−２＞
カバー本体２の形状は特には限定されず、少なくとも一端部に吊孔６３を有し、この吊孔６３よりも下方に開口部を形成し、さらに、吊孔６３とは反対側の端部に、薬液を排出する接続部３が形成されていればよい。また、カバー本体２は２枚のフィルムを重ねて貼り合わせるほか、１枚のフィルムを筒状に形成し、これを押し潰して偏平状に形成することもできる。なお、接続部３の構成も特には限定されず、カバー本体２内の薬液容器１から薬液を取り出せるような構成であればよい。
【００４０】
＜５−３＞
開閉機構４の構成も特には限定されない。すなわち、ストリップ２１１，２１２の係合により開口部を密閉し、スライダ４０の移動によりストリップ２１１，２１２を係合させたり、係合解除できるような構成であればよい。
【００４１】
＜５−４＞
上記実施形態では、プラスチックフィルムにより袋状に形成された薬液容器１を用いたが、薬液容器の態様はこれに限定されるものではなく、カバー本体２の接続部３と接続できるのであれば、例えば、ガラス製またはプラスチック製のボトル（例えば、バイアル瓶）など、種々の態様にすることができる。
【符号の説明】
【００４２】
１  薬液容器
２  カバー本体
２１１  第１ストリップ
２１２  第２ストリップ
３  接続部
４  開閉機構
４０  スライダ
５  フラップ(吊り掛け部)
【図１】
0003190976.tif 000003
【図２】
0003190976.tif 000004
【図３】
0003190976.tif 000005
【図４】
0003190976.tif 000006
【図５】
0003190976.tif 000007
【図６】
0003190976.tif 000008
【図７】
0003190976.tif 000009
【図８】
0003190976.tif 000010
【図９】
0003190976.tif 000011